(57)【要約】【課題】起伏部材の連結作業の作業性を向上させる。【解決手段】案内ブラケット６０は、下部ジブ４０が連結される側の中間テーパジブ５０の端部（ジブ基端側Ｘｊ１端部）に設けられる横材案内部６１を備える。横材案内部６１は、下部ジブ４０のピン孔４５ｂと中間テーパジブ５０のピン孔５５ｂとの位置が合った状態のときに、先端部横材４１ｂを下から支持するように構成される。【選択図】図４
2014065572.tif 000002
【特許請求の範囲】
【請求項１】
第１部材と、
前記第１部材にピンを介して連結される第２部材と、
を備え、
前記第１部材は、前記第２部材が連結される側の前記第１部材の端部を構成する横材を備える、
組立式の起伏部材の、連結部をガイドする案内ブラケットであって、
前記第１部材が連結される側の前記第２部材の端部に設けられる横材案内部を備え、
前記横材案内部は、前記第１部材のピン孔と前記第２部材のピン孔との位置が合った状態のときに、前記横材を下から支持するように構成される、
起伏部材の案内ブラケット。
【請求項２】
第１部材と、
前記第１部材にピンを介して連結される第２部材と、
を備え、
前記第１部材は、前記第２部材が連結される側の前記第１部材の端部を構成する縦材を備える、
組立式の起伏部材の、連結部をガイドする案内ブラケットであって、
前記第１部材が連結される側の前記第２部材の端部に設けられる縦材案内部を備え、
前記縦材案内部は、前記第１部材のピン孔と前記第２部材のピン孔との位置が合った状態のときに、起伏部材軸方向に前記縦材と接触するように構成される、
起伏部材の案内ブラケット。
【請求項３】
ブームの先端部に起伏可能に取り付けられる組立式のジブの連結方法であって、
前記ジブは、
下部側ジブと、
前記下部側ジブのジブ先端側に連結される上部側ジブと、
を備え、
前記下部ジブまたは前記上部側ジブは、前記下部側ジブと前記上部側ジブとの連結部でのピン孔の位置をガイドする案内ブラケットを備えるものであって、
前記ブーム、前記下部側ジブ、及び前記上部側ジブそれぞれの中心軸が上から見たときに一直線上に並ぶように、前記下部側ジブと前記上部側ジブとが前記ブームの下に配置される配置工程と、
ブーム基端側からブーム先端側に引き出されたリービングロープが、ブーム基端側に折り返されるとともに、折り返された前記リービングロープが前記上部側ジブに取り付けられるロープ取付工程と、
リービングウインチにより前記リービングロープを巻込むことで前記上部側ジブを前記下部側ジブに近づけるとともに、前記下部側ジブと前記上部側ジブとのピン孔の位置を前記案内ブラケットを用いて合わせるロープ巻込工程と、
を備える、ジブの連結方法。
【発明の詳細な説明】
【技術分野】
【０００１】
本発明は、組立式の起伏部材の連結部をガイドする案内ブラケット、及び、組立式のジブの連結方法に関する。
【背景技術】
【０００２】
従来より、組立式の起伏部材を備えたクレーンがある（例えば特許文献１及び２の図面参照）。起伏部材には、例えば、ブーム、ジブ、及びストラット等がある。組立式の起伏部材は、起伏部材軸方向に分解可能に構成される。起伏部材の構成要素同士は、ピンを用いて連結される。
【先行技術文献】
【特許文献】
【０００３】
【特許文献１】特開２００８−１２７１５０
【特許文献２】特開２００９−１４９４３８
【発明の概要】
【発明が解決しようとする課題】
【０００４】
起伏部材の構成要素同士をピンを用いて連結する（組み立てる）際には、ピン孔の位置合わせを行う必要がある。このピン孔の位置合わせには手間がかかり、その結果、起伏部材の連結作業に手間がかかる。
【０００５】
そこで本発明は、起伏部材の連結作業の作業性を向上させることができる起伏部材の案内ブラケットを提供すること、及び、ジブの連結作業の作業性を向上させることができるジブの連結方法を提供することを目的とする。
【課題を解決するための手段】
【０００６】
第１の発明の案内ブラケットは、組立式の起伏部材の連結部をガイドする案内ブラケットである。前記起伏部材は、第１部材と、前記第１部材にピンを介して連結される第２部材と、を備える。前記第１部材は、前記第２部材が連結される側の前記第１部材の端部を構成する横材を備えるものである。案内ブラケットは、前記第１部材が連結される側の前記第２部材の端部に設けられる横材案内部を備える。前記横材案内部は、前記第１部材のピン孔と前記第２部材のピン孔との位置が合った状態のときに、前記横材を下から支持するように構成される。
【０００７】
第２の発明の案内ブラケットは、組立式の起伏部材の連結部をガイドする案内ブラケットである。前記起伏部材は、第１部材と、前記第１部材にピンを介して連結される第２部材と、を備える。前記第１部材は、前記第２部材が連結される側の前記第１部材の端部を構成する縦材を備える。前記第１部材が連結される側の前記第２部材の端部に設けられる縦材案内部を備える。前記縦材案内部は、前記第１部材のピン孔と前記第２部材のピン孔との位置が合った状態のときに、起伏部材軸方向に前記縦材と接触するように構成される。
【０００８】
第３の発明のジブの連結方法は、ブームの先端部に起伏可能に取り付けられる組立式のジブの連結方法である。前記ジブは、下部側ジブと、前記下部側ジブのジブ先端側に連結される上部側ジブと、を備える。前記下部ジブまたは前記上部側ジブは、前記下部側ジブと前記上部側ジブとの連結部でのピン孔の位置をガイドする案内ブラケットを備える。ジブの連結方法は、配置工程と、ロープ取付工程と、ロープ巻込工程と、を備える。前記配置工程は、前記ブーム、前記下部側ジブ、及び前記上部側ジブそれぞれの中心軸が上から見たときに一直線上に並ぶように、前記下部側ジブと前記上部側ジブとが前記ブームの下に配置される工程である。前記ロープ取付工程は、ブーム基端側からブーム先端側に引き出されたリービングロープが、ブーム基端側に折り返されるとともに、折り返された前記リービングロープが前記上部側ジブに取り付けられる工程である。前記ロープ巻込工程は、リービングウインチにより前記リービングロープを巻込むことで前記上部側ジブを前記下部側ジブに近づけるとともに、前記下部側ジブと前記上部側ジブとのピン孔の位置を前記案内ブラケットを用いて合わせる工程である。
【発明の効果】
【０００９】
第１及び第２の発明では、起伏部材の連結作業の作業性を向上させることができる。第３の発明では、ジブの連結作業の作業性を向上させることができる。
【図面の簡単な説明】
【００１０】
【図１】ジブ組立状態のクレーンを横から見た全体図である。
【図２】図１に示す下部ジブ４０と中間テーパジブ５０との連結前の状態を示す図である。
【図３】（ａ）：図２に示す案内ブラケット６０の周辺を示す図であり、下部ジブ４０と中間テーパジブ５０とを連結する前の状態を示す図である。（ｂ）：図３（ａ）のIIIb矢視図である。
【図４】（ａ）：図２に示す下部ジブ４０と中間テーパジブ５０とを連結した後の状態を示す図３（ａ）相当図である。（ｂ）：図４（ａ）のIVb矢視図である。
【発明を実施するための形態】
【００１１】
図１〜図４（ｂ）を参照して、図２に示す案内ブラケット６０を備えるジブ３０を備えるクレーン１（図１参照）について説明する。なお、図３（ａ）は、図３（ｂ）のIIIa矢視図である。図４（ａ）は図４（ｂ）のIVa矢視図である。
【００１２】
クレーン１は、図１に示すように、ブーム１０等を備える建設機械である。クレーン１は、例えばラチスブームクローラクレーン等である。クレーン１は、クレーン本体５と、クレーン本体５に取り付けられるブーム１０と、ブーム１０にそれぞれ取り付けられるストラット２０及びジブ３０（ラッフィングジブ）と、を備える。
【００１３】
クレーン本体５は、下部本体５ａと、下部本体５ａに旋回可能に取り付けられる上部旋回体５ｂと、リービングウインチ７と、を備える。下部本体５ａは、例えば走行式（下部走行体）であり、例えばクローラ式である（ホイール式でもよい）。
【００１４】
リービングウインチ７は、リービングロープＲの巻込み及び巻出しをするウインチである。リービングウインチ７は、クレーン本体５に取り付けられる。リービングウインチ７は、例えば上部旋回体５ｂの前端部などに取り付けられる（下部本体５ａの前端部などに取り付けられてもよい）。リービングロープＲは、ブーム１０やジブ３０から吊荷を吊り下げるワイヤロープ（図示なし）等の、起伏部材（ブーム１０等）への巻き掛けを補助するためのロープである。リービングロープＲは、上記ワイヤロープよりも細く、取り扱いが容易である。
【００１５】
ブーム１０（起伏部材）は、クレーン本体５に起伏可能に取り付けられる。ブーム１０は、例えば格子状構造などを備えた棒状構造物（ラチスブーム）である。例えば格子状構造などを備えた棒状構造物である点は、後述するストラット２０及びジブ３０も同様である。ここで、ブーム１０の軸方向をブーム軸方向Ｘｂとする。ブーム軸方向Ｘｂにおける、ブーム１０の基端側をブーム基端側Ｘｂ１、ブーム１０の先端側をブーム先端側Ｘｂ２とする。ブーム１０を伏せたときのブーム１０の上下方向をブーム上下方向Ｙｂとする。ブーム上下方向Ｙｂにおける、ブーム１０の背面側をブーム背面側Ｙｂ１、ブーム１０の腹面側をブーム腹面側Ｙｂ２とする。
【００１６】
このブーム１０は、組立式であり、ブーム軸方向Ｘｂに分解可能である。ブーム１０は、ブーム基端側Ｘｂ１からブーム先端側Ｘｂ２に順に、下部ブーム１０ａと、中間ブーム１０ｂと、先端ブーム１０ｃと、を備える。中間ブーム１０ｂは、ブーム軸方向Ｘｂに分解可能である（分解不可でもよい）。また、ブーム１０の先端部をブーム先端部１０ｔとする。ブーム先端部１０ｔは、内抱き式（後述）に対応可能に構成される。
【００１７】
ストラット２０（起伏部材）は、ワイヤロープ（図示なし）を介して、ジブ３０を起伏させる。ストラット２０は、ブーム先端部１０ｔに起伏可能に取り付けられる。ストラット２０には、フロントストラット２０ｆと、フロントストラット２０ｆの後方に配置されるリアストラット２０ｒと、がある。フロントストラット２０ｆは、組立式であり、フロントストラット２０ｆ軸方向に分解可能である（リアストラット２０ｒも同様に組立式である）。
【００１８】
ジブ３０（ラッフィングジブ）（起伏部材）は、ワイヤロープ及びフック（図示なし）を介して吊荷を吊る構造物である。ジブ３０は、ブーム先端部１０ｔに取り付けられ、ブーム１０に対して起伏可能である。ブーム１０へのジブ３０の取付方法には、伸長式と内抱き式とがある。伸長式（図示なし）では、ブーム１０の前方にジブ３０が配置されて、ブーム１０にジブ３０が取り付けられる。図１に示すような内抱き式では、ブーム１０の下方にジブ３０が配置され、ブーム１０にジブ３０が取り付けられる。ここで、ジブ３０の軸方向をジブ軸方向Ｘｊとする。ジブ軸方向Ｘｊにおける、ジブ３０の基端側をジブ基端側Ｘｊ１、ジブ３０の先端側をジブ先端側Ｘｊ２とする。ジブ３０を組立時の姿勢としたときのジブ３０の上下方向をジブ上下方向Ｙｊとする。ジブ上下方向Ｙｊにおける、ジブ３０の背面側（内抱き式の姿勢の場合はジブ３０の下側）をジブ背面側Ｙｊ１、ジブ３０の腹面側をジブ腹面側Ｙｊ２とする。ジブ３０の横方向（ジブ軸方向Ｘｊ及びジブ上下方向Ｙｊに直交する方向）をジブ横方向Ｚｊとする。
【００１９】
このジブ３０は、組立式であり、ジブ軸方向Ｘｊに分割可能である。ジブ３０は、ジブ基端側Ｘｊ１からジブ先端側Ｘｊ２に順に、下部ジブ４０と、中間テーパジブ５０と、中間ジブ７０と、上部ジブ８０と、を備える。
【００２０】
下部ジブ４０（第１部材、下部側ジブ）は、ジブ軸方向Ｘｊに分割可能なジブ３０の構成要素うち、最もジブ基端側Ｘｊ１の要素である。図２に示すように、下部ジブ４０は、下部側ジブフレーム４１と、下部側ジブフレーム４１に設けられた下部側コネクタ４５と、を備える。
【００２１】
下部側ジブフレーム４１は、下部ジブ４０の言わば本体部であり、三角柱状（略三角柱状）である。下部側ジブフレーム４１は、パイプ及び板等により構成される。下部側ジブフレーム４１は、主材４１ａ（４本）と、先端部横材４１ｂ（２本）（横材）と、先端部縦材４１ｃ（２本）（縦材）と、を備える。主材４１ａは、ジブ軸方向Ｘｊから見た下部側ジブフレーム４１の四角形断面の四隅に配置される。先端部横材４１ｂ及び先端部縦材４１ｃは、下部側ジブフレーム４１のジブ先端側Ｘｊ２端部（中間テーパジブ５０が連結される側の端部）に配置される。先端部横材４１ｂは、ジブ横方向Ｚｊに延びる。先端部縦材４１ｃは、ジブ上下方向Ｙｊに延びる。
【００２２】
下部側コネクタ４５は、下部ジブ４０と中間テーパジブ５０とを連結する。下部側コネクタ４５は、下部側ジブフレーム４１の主材４１ａ（４本）のジブ先端側Ｘｊ２端部（４か所）に固定される。図３（ａ）及び図３（ｂ）に示すように、１か所の下部側コネクタ４５は、板状部４５ａ（例えば２枚）と、板状部４５ａに形成されたピン孔４５ｂと、を備える。
【００２３】
中間テーパジブ５０（第２部材、上部側ジブ）は、図２に示すように、下部ジブ４０のジブ先端側Ｘｊ２にピンＰ（図４（ｂ）参照）を介して連結される。中間テーパジブ５０は、上部側ジブフレーム５１と、中間テーパジブ５０と下部ジブ４０との連結部にそれぞれ設けられる、上部側コネクタ５５及び案内ブラケット６０と、を備える。
【００２４】
上部側ジブフレーム５１は、複数のパイプで構成される。上部側ジブフレーム５１は、主材５１ａ（４本）と、基端部横材５１ｂ（２本）と、基端部縦材５１ｃ（２本）と、を備える。主材５１ａは、ジブ軸方向Ｘｊから見たときの上部側ジブフレーム５１の四角形断面の四隅に配置される。基端部横材５１ｂ及び基端部縦材５１ｃは、上部側ジブフレーム５１のジブ基端側Ｘｊ１端部に配置される。基端部横材５１ｂは、ジブ横方向Ｚｊに延びる。基端部縦材５１ｃは、ジブ上下方向Ｙｊに延びる。
【００２５】
上部側コネクタ５５は、中間テーパジブ５０と下部ジブ４０とを連結する。上部側コネクタ５５は、主材５１ａ（４本）のジブ基端側Ｘｊ１端部（４か所）に固定される。図３（ａ）及び図３（ｂ）に示すように、１か所の上部側コネクタ５５は、１枚（または２枚）の板状部５５ａと、板状部５５ａに形成されたピン孔５５ｂと、を備える。なお、上部側コネクタ５５が２枚の板状部５５ａを備える場合（図示なし）は、下部側コネクタ４５の板状部４５ａを１枚とする。図４（ｂ）に示すように、ピン孔４５ｂとピン孔５５ｂとにピンＰが差し込まれると、下部側コネクタ４５と上部側コネクタ５５とが連結される。
【００２６】
案内ブラケット６０は、図３（ａ）及び（ｂ）に示すように、ピン孔４５ｂとピン孔５５ｂとの位置合わせを容易にする。案内ブラケット６０は、下部ジブ４０と中間テーパジブ５０との連結部でのピン孔４５ｂ・５５ｂの位置をガイドする。図２に示すように、案内ブラケット６０は、４ヶ所の上部側コネクタ５５のうち少なくとも１ヶ所の上部側コネクタ５５の近傍に配置される。例えば、案内ブラケット６０は、４ヶ所の上部側コネクタ５５のうちジブ腹面側Ｙｊ２の２か所の上部側コネクタ５５の近傍に配置される。案内ブラケット６０は、上部側ジブフレーム５１のジブ基端側Ｘｊ１端部（下部ジブ４０が連結される側の端部）に固定される。図３（ａ）及び（ｂ）に示すように、案内ブラケット６０は、例えば、基端部横材５１ｂに固定される（基端部縦材５１ｃに固定されてもよい）。案内ブラケット６０は、横材案内部６１と、縦材案内部６３と、を備える。
【００２７】
横材案内部６１は、ジブ上下方向Ｙｊにおけるピン孔４５ｂ・５５ｂの位置合わせを行う（後述）部分である。横材案内部６１は、基端部横材５１ｂに固定され、基端部横材５１ｂからジブ基端側Ｘｊ１に延びる。図４（ａ）に示すように、横材案内部６１は、ピン孔４５ｂとピン孔５５ｂとの位置が合った状態（状態Ａとする）のときに、先端部横材４１ｂを下から支持するように構成される。横材案内部６１は、傾斜部６１ａを備える。傾斜部６１ａは、横材案内部６１の先端部の上端部に形成される。
【００２８】
縦材案内部６３は、ジブ軸方向Ｘｊにおけるピン孔４５ｂ・５５ｂの位置合わせを行う（後述）部分である。縦材案内部６３は、図４（ｂ）に示すように、横材案内部６１に固定され、横材案内部６１からジブ横方向Ｚｊ外側に延びる。縦材案内部６３は、横材案内部６１と別個に設けられてもよい。縦材案内部６３は、ピン孔４５ｂとピン孔５５ｂとの位置が合った状態（上記「状態Ａ」）のときに、ジブ軸方向Ｘｊに先端部縦材４１ｃと接触するように構成される。縦材案内部６３は、上記「状態Ａ」のときに、縦材案内部６３のジブ基端側Ｘｊ１端部と、先端部縦材４１ｃと、がジブ軸方向Ｘｊに対向して接触するように構成される。縦材案内部６３は、段差部６３ａを備える。段差部６３ａは、上記「状態Ａ」のときに、先端部縦材４１ｃに接触するように形成される。段差部６３ａは、上記「状態Ａ」のときに、先端部縦材４１ｃにほぼ沿うように形成される。
【００２９】
中間ジブ７０は、図１に示すように、中間テーパジブ５０のジブ先端側Ｘｊ２に連結される。
上部ジブ８０は、中間ジブ７０のジブ先端側Ｘｊ２に連結される。
【００３０】
（動作）
次に、図１に示す下部ジブ４０と中間テーパジブ５０との連結方法を、工程の順にほぼ沿って説明する（工程の順は適宜変更してもよい）。この連結方法は、配置工程と、上部側ジブ吊上工程と、ロープ取付工程と、ロープ巻込工程と、ピン差込工程と、を備える。
【００３１】
配置工程では、ジブ３０（下部ジブ４０及び中間テーパジブ５０）が、ブーム１０の下に配置される。ブーム１０及びジブ３０の中心軸が上から見たときに一直線上に並ぶように、ジブ３０が配置される。
【００３２】
上部側ジブ吊上工程では、図２に示すように、中間テーパジブ５０が、補助クレーンにより地面Ｇから（わずかに）吊り上げられる。なお図２では、中間ジブ７０と中間テーパジブ５０とが予め連結された場合のジブの状態を図示している。
【００３３】
ロープ取付工程では、リービングロープＲが中間テーパジブ５０に取り付けられる。さらに詳しくは、ロープ取付工程は次の（ａ）〜（ｂ）のように行われる。
（ａ）リービングロープＲが、ブーム基端側Ｘｂ１からブーム先端側Ｘｂ２に引き出される。図１に示すように、リービングロープＲは、リービングウインチ７から引き出され、例えば、ブーム１０の下方（ブーム腹面側Ｙｂ２）と、ブーム１０の上方（ブーム背面側Ｙｂ１）とを通り、図２に示すようにブーム先端部１０ｔに引き出される。なお、ブーム基端側Ｘｂ１からブーム先端側Ｘｂ２へのリービングロープＲの引き出し方（ワイヤリング）は適宜変更してもよい。
（ｂ）上記（ａ）で引き出されたリービングロープＲは、ブーム基端側Ｘｂ１に折り返される。リービングロープＲは、中間テーパジブ５０へのリービングロープＲの取付位置よりも前方（ジブ基端側Ｘｊ１）の位置で、ブーム基端側Ｘｂ１に折り返される。具体的には、リービングロープＲは、ブーム先端部１０ｔに設けられたシーブに掛けられて、ブーム先端部１０ｔで折り返される。
（ｃ）上記（ｂ）で折り返されたリービングロープＲは、中間テーパジブ５０に取り付けられる（固定される）。リービングロープＲは、中間テーパジブ５０の、例えばジブ基端側Ｘｊ１端部の、例えば上端部（ジブ腹面側Ｙｊ２端部）に取り付けられる。
【００３４】
ロープ巻込工程では、リービングウインチ７（図１参照）によりリービングロープＲが巻き込まれる。その結果、中間テーパジブ５０がジブ基端側Ｘｊ１に移動して、中間テーパジブ５０が下部ジブ４０に近づく。このとき、図３（ａ）及び（ｂ）並びに図４（ａ）及び（ｂ）に示すように、案内ブラケット６０を用いて、上部側コネクタ５５のピン孔５５ｂと下部側コネクタ４５のピン孔４５ｂとの位置合わせが行われる。
【００３５】
この位置合わせの詳細は次の（ｄ）及び（ｅ）の通りである。
（ｄ）図３（ａ）及び図４（ａ）に示すように、横材案内部６１の上端部が、先端部横材４１ｂの下端部に当たる（下端部を下から支持する）。これによりピン孔４５ｂ・５５ｂのジブ上下方向Ｙｊの位置合わせ（案内）が行われる。ここで、図３（ａ）に示すように、横材案内部６１は、先端部かつ上端部に傾斜部６１ａを備える。この傾斜部６１ａにより、横材案内部６１の先端部が先端部横材４１ｂに突き当たる（ジブ軸方向Ｘｊに対向して接触する）ことが抑制される。
（ｅ）図３（ｂ）及び図４（ｂ）に示すように、縦材案内部６３が、先端部縦材４１ｃに突き当てられることで、ジブ軸方向Ｘｊの位置合わせ（案内）が行われる。図４（ｂ）に示すように、縦材案内部６３は、先端部縦材４１ｃに沿うように形成される段差部６３ａを備える。この段差部６３ａにより、下部側コネクタ４５と上部側コネクタ５５とが係合していない状態（板状部４５ａの間に板状部５５ａが配置されていない状態）でも、ジブ横方向Ｚｊにおけるピン孔４５ｂ・５５ｂの位置合わせができる。
【００３６】
ピン差込工程では、図４（ｂ）に示すように、ピンＰが、ピン孔５５ｂ及びピン孔４５ｂに挿入される。これにより、図２に示すジブ３０のジブ腹面側Ｙｊ２のコネクタ同士（上部側コネクタ５５と下部側コネクタ４５と）が連結される。このピン差込工程の後、中間テーパジブ５０が、補助クレーンによりさらに吊り上げられる。そして、ジブ３０のジブ背面側Ｙｊ１のコネクタ同士の位置合わせ、及びピンでの連結が行われる。
【００３７】
（効果１）
次に、図２に示す案内ブラケット６０による効果を説明する。案内ブラケット６０は、ジブ３０の連結部をガイドする。ジブ３０は、下部ジブ４０と、下部ジブ４０にピンＰ（図４（ｂ）参照）を介して連結される中間テーパジブ５０と、を備える。下部ジブ４０は、中間テーパジブ５０が連結される側の下部ジブ４０の端部（ジブ先端側Ｘｊ２端部）を構成する先端部横材４１ｂを備えるものである。図４（ａ）に示すように、案内ブラケット６０は、下部ジブ４０が連結される側の中間テーパジブ５０の端部（ジブ基端側Ｘｊ１端部）に設けられる横材案内部６１を備える。横材案内部６１は、下部ジブ４０のピン孔４５ｂと中間テーパジブ５０のピン孔５５ｂとの位置が合った状態のときに、先端部横材４１ｂを下から支持するように構成される。
【００３８】
この構成では、横材案内部６１の上に先端部横材４１ｂを乗せるだけで、ジブ上下方向Ｙｊにおけるピン孔４５ｂ・５５ｂの位置合わせができる。その結果、下部ジブ４０と中間テーパジブ５０との連結作業の作業性を向上させることができる。
【００３９】
（効果２）
下部ジブ４０は、中間テーパジブ５０が連結される側の下部ジブ４０の端部（ジブ先端側Ｘｊ２端部）を構成する先端部縦材４１ｃを備える。図４（ｂ）に示すように、案内ブラケット６０は、縦材案内部６３を備える。縦材案内部６３は、下部ジブ４０のピン孔４５ｂと中間テーパジブ５０のピン孔５５ｂとの位置が合った状態のときに、ジブ軸方向Ｘｊに先端部縦材４１ｃと接触するように構成される。
【００４０】
この構成では、縦材案内部６３に先端部縦材４１ｃを接触させる（突き当てる）だけで、ジブ軸方向Ｘｊにおけるピン孔４５ｂ・５５ｂの位置合わせができる。その結果、下部ジブ４０と中間テーパジブ５０との連結作業の作業性を向上させることができる。
【００４１】
（効果３）
次に、上記実施形態のジブ３０の連結方法による効果を説明する。この連結方法は、図２に示すブーム１０の先端部（ブーム先端部１０ｔ）に起伏可能に取り付けられる組立式のジブ３０の連結方法である。ジブ３０は、下部ジブ４０と、下部ジブ４０のジブ先端側Ｘｊ２に連結される中間テーパジブ５０と、を備える。中間テーパジブ５０（または下部ジブ４０）は、下部ジブ４０と中間テーパジブ５０との連結部でのピン孔４５ｂ・５５ｂ（図４（ａ）参照）の位置をガイドする案内ブラケット６０を備えるものである。このジブ３０の連結方法は、配置工程と、ロープ取付工程と、ロープ巻込工程と、を備える。配置工程は、図１に示すように、ブーム１０、下部ジブ４０、及び中間テーパジブ５０それぞれの中心軸が上から見たときに一直線上に並ぶように、下部ジブ４０と中間テーパジブ５０とがブーム１０の下に配置される工程である。ロープ取付工程は、ブーム基端側Ｘｂ１からブーム先端側Ｘｂ２に引き出されたリービングロープＲが、図２に示すようにブーム基端側Ｘｂ１に折り返されるとともに、折り返されたリービングロープＲが中間テーパジブ５０に取り付けられる工程である。ロープ巻込工程は、リービングウインチ７（図１参照）によりリービングロープＲを巻込むことで中間テーパジブ５０を下部ジブ４０に近づけるとともに、図３（ａ）〜図４（ｂ）に示すように、下部ジブ４０と中間テーパジブ５０とのピン孔４５ｂ・５５ｂの位置を案内ブラケット６０を用いて合わせる工程である。
【００４２】
このジブ３０の連結方法のロープ巻込工程では、図１に示すリービングウインチ７によりリービングロープＲを巻込むことで中間テーパジブ５０を下部ジブ４０に近づけるとともに、図３（ａ）〜図４（ｂ）に示すように、ピン孔４５ｂ・５５ｂの位置を案内ブラケット６０を用いて合わせる。よって、リービングロープＲ（図１参照）を巻き込むだけで、ピン孔４５ｂ・５５ｂの位置合わせができる。その結果、下部ジブ４０と中間テーパジブ５０との連結作業の作業性を向上させることができる。
【００４３】
（変形例）
上記実施形態は様々に変形できる。
例えば、上記実施形態では、図２に示すように、案内ブラケット６０は、中間テーパジブ５０に設けられた。しかし、案内ブラケット６０は、下部ジブ４０に設けられてもよい。
また例えば、上記実施形態では、案内ブラケット６０は、下部ジブ４０（第１部材）と中間テーパジブ５０（第２部材）との連結部に設けられた。しかし、案内ブラケット６０は次の（ａ）〜（ｃ）等の位置に設けられても良い。（ａ）下部ジブ４０と中間テーパジブ５０との連結部以外の、ジブ３０の連結部。例えば、図１に示す中間テーパジブ５０と中間ジブ７０との連結部など。（ｂ）ブーム１０の連結部。例えば、先端ブーム１０ｃと中間ブーム１０ｂとの連結部、また例えば、中間ブーム１０ｂと下部ブーム１０ａとの連結部など。（ｃ）ストラット２０の連結部。例えば、フロントストラット２０ｆの基端側の部材と、先端側の部材との連結部など。
【符号の説明】
【００４４】
１０  ブーム（起伏部材）
２０  ストラット（起伏部材）
３０  ジブ（起伏部材）
４０  下部ジブ（第１部材、下部側ジブ）
４１ｃ  先端部縦材（縦材）
４１ｂ  先端部横材（横材）
４５ｂ、５５ｂ  ピン孔
５０  中間テーパジブ（第２部材、上部側ジブ）
６０  案内ブラケット
６１  横材案内部
６３  縦材案内部
Ｐ    ピン
【図１】
2014065572.tif 000003
【図２】
2014065572.tif 000004
【図３】
2014065572.tif 000005
【図４】
2014065572.tif 000006